(57)【要約】【課題】  赤外線ノイズの発生源を特定することを可能とした赤外線通信装置付き自動販売機を提供することを目的とする。【解決手段】  外部より赤外線の信号を受信するフォトダイオード２９と、このフォトダイオード２９により受信され信号をパルス状に整形し、その赤外線パルスを出力する受信装置３１と、受信装置３１より赤外線パルスを入力すると、入力したパルス列よりハンディターミナル２より送信されたデータを解読する通信判断部３３を備え、前記通信判断部３３に、赤外線パルスのパルス幅を測定し、この測定したパルス幅により、入力した赤外線パルスが外部ノイズかどうかを判断し、外部ノイズと判断すると、その発生日時と前記パルス幅をメモリ３４に記憶し、金銭表示器１５のディジタル表示器２２に前記パルス幅を表示する機能を付加する。【選択図】      図２
2007080004.tif 000002
【特許請求の範囲】
【請求項１】
赤外線を使用して外部の通信装置との間でデータ通信を可能とした赤外線通信装置付き自動販売機であって、
外部より赤外線の信号を受信する赤外線受光素子と、
記憶部と、
前記赤外線受光素子により受信した赤外線の信号が、外部ノイズかどうかを判断し、受信した信号が外部ノイズと判断すると、その発生日時を前記記憶部に記憶する判断部と
を備えることを特徴とする赤外線通信装置付き自動販売機。
【請求項２】
前記赤外線受光素子により受信した赤外線の信号をパルス状に整形し、その赤外線パルスを出力する赤外線受信部と、
前記赤外線受信部より前記赤外線パルスを入力すると、この入力した前記赤外線パルスより前記外部の通信装置から送信されたデータを解読する通信制御部
を備え、
前記判断部を、前記赤外線受信部、および前記通信制御部に、前記赤外線受信部より入力した赤外線パルスのパルス幅を測定し、この測定したパルス幅により、入力した赤外線パルスが外部ノイズかどうかを判断し、外部ノイズと判断すると、その発生日時と前記パルス幅を前記記憶部に記憶する外部ノイズ検出機能を持たせることにより、構成すること
を特徴とする請求項１に記載の赤外線通信装置付き自動販売機。
【請求項３】
赤外線パルスのパルス幅を表示する表示部を備え、
前記通信制御部は、赤外線パルスが外部ノイズと判断すると、そのパルス幅を前記表示部に表示すること
を特徴とする請求項２に記載の赤外線通信装置付き自動販売機。
【請求項４】
前記表示部として、商品を購入するために自動販売機に投入された金銭の金額を表示する金額表示器を使用すること
を特徴とする請求項３に記載の赤外線通信装置付き自動販売機。
【請求項５】
前記通信制御部は、前記解読したデータに基づいて前記外部通信装置へ応答しても、それに対する応答がないとき、前記外部ノイズ検出機能を起動すること
を特徴とする請求項２〜請求項４のいずれか１項に記載の赤外線通信機装置付き自動販売機。
【発明の詳細な説明】
【技術分野】
【０００１】
本発明は、赤外線を使用してデータ通信を行い、販売管理や各種設定等を行うことを可能とした自動販売機に関するものである。
【背景技術】
【０００２】
従来の自動販売機の中には、外部のハンディターミナル（携帯ユニット）と自動販売機本体の内部の制御装置との間のデータ通信を、赤外線を使用して可能とした自動販売機がある。このような自動販売機が、例えば特許文献１に開示されている。
【０００３】
この特許文献１の自動販売機について説明する。
利用者の操作に応じて商品を払い出す自動販売機本体には、データの送信素子として赤外発光ダイオード、データの受信素子としてフォトダイオードが設けられており、赤外発光ダイオードにデータの送信部が接続され、フォトダイオードにデータの受信部が接続され、これら送信部および受信部は、携帯ユニットとの間のデータ通信を制御する通信制御部に接続されている。また、この通信制御部は、販売動作を司る制御装置に接続されている。
【０００４】
また自動販売機本体とは別に用意された携帯ユニットには、自動販売機本体の赤外発光ダイオードからの光を検出するフォトダイオードと、自動販売機本体のフォトダイオードに向けて光を発する赤外発光ダイオードと、前記フォトダイオードが接続された受信部と、前記赤外発光ダイオードが接続された送信部と、これら受信部と送信部と接続され、自動販売機本体との間のデータ通信を制御する通信制御部が設けられている。
【０００５】
このような構成において、たとえば携帯ユニットにおいて自動販売機内部の商品の残数情報の読み出しを行うとき、携帯ユニットの通信制御部は送信部を介して赤外発光ダイオードを駆動して商品の残数情報の読み出しを要求する。この要求は自動販売機本体のフォトダイオードと受信部を介して自動販売機本体の通信制御部で解読され、通信制御部は携帯ユニットからの要求に従って販売制御装置から商品の残数を読み出して送信部を介して赤外発光ダイオードを駆動し、携帯ユニットに送信する。自動販売機本体から送信された商品の残数はフォトダイオードと受信部を介して携帯ユニットの通信制御部で解読されて、携帯ユニットで表示される。
【０００６】
また、上記自動販売機内部の商品の残数情報の読み出し以外にも、携帯ユニットから同様に、販売制御装置に設定されている販売価格の読み出しならびに書き換え、所定期間内での販売売上金額の読み出し等を指示することができる。
【特許文献１】特開平７−３７１４５号公報
【発明の開示】
【発明が解決しようとする課題】
【０００７】
従来の上記自動販売機において、赤外線を使用してデータ通信を行う際に、データ通信を正常に実行できないときがある。このとき、その原因が、自動販売機本体にあるのか、携帯ユニットにあるのか、外部の赤外線ノイズによるのか判断することができない。さらに、赤外線ノイズによる通信障害のとき、赤外線ノイズの発生原因として、隣接する自動販売機の蛍光灯や自動ドアの赤外線センサや防犯用赤外線センサ等が発する赤外線が考えられるが、このような赤外線ノイズの有無や特性を知る手段がなく、原因を特定することが困難であり、よって対策を立案することが困難であった。
【０００８】
そこで、本発明は上記課題を解決するもので、データ通信が正常に実行できないとき、その原因が赤外線ノイズかどうかを判断でき、さらに赤外線ノイズの発生原因を特定することを可能とした赤外線通信装置付き自動販売機を提供することを目的とする。
【課題を解決するための手段】
【０００９】
上記課題を解決するために請求項１に記載の赤外線通信装置付き自動販売機は、赤外線を使用して外部の通信装置との間でデータ通信を可能とした赤外線通信機能付き自動販売機であって、外部より赤外線の信号を受信する赤外線受光素子と、記憶部と、前記赤外線受光素子により受信した赤外線の信号が、外部ノイズかどうかを判断し、受信した信号が外部ノイズと判断すると、その発生日時を前記記憶部に記憶する判断部とを備えることを特徴とする。
【００１０】
上記外部の通信装置を使用して赤外線通信装置付き自動販売機との間でデータ通信を実行したとき、データ通信を正常に実行できないときがある。このとき、その原因が、外部の通信装置自体にあるのか、赤外線通信装置付き自動販売機自体にあるのか、外部の赤外線ノイズにあるのかを判断することは困難である。
【００１１】
上記構成により、受信した赤外線の信号が外部ノイズと判断されると、その発生日時が記憶部に記憶され、履歴として残される。よって、データ通信が正常に実行されないとき、この履歴を確認することにより、原因が、外部の赤外線ノイズにあるかどうかを判断することが可能となる。
【００１２】
請求項２に記載の発明は、請求項１に記載の赤外線通信装置付き自動販売機において、前記赤外線受光素子により受信した赤外線の信号をパルス状に整形し、その赤外線パルスを出力する赤外線受信部と、前記赤外線受信部より前記赤外線パルスを入力すると、この入力した前記赤外線パルスより前記外部の通信装置から送信されたデータを解読する通信制御部を備え、前記判断部を、前記赤外線受信部、および前記通信制御部に、前記赤外線受信部より入力した赤外線パルスのパルス幅を測定し、この測定したパルス幅により、入力した赤外線パルスが外部ノイズかどうかを判断し、外部ノイズと判断すると、その発生日時と前記パルス幅を前記記憶部に記憶する外部ノイズ検出機能を持たせることにより、構成することを特徴とする。
【００１３】
この構成により、赤外線受信部より入力した赤外線パルスが外部ノイズと判断されると、その発生日時とパルス幅を記憶部に記憶され、履歴として残される。よって、履歴として残された発生日時とパルス幅を検証することにより、赤外線ノイズの発生原因を容易に判別することが可能となり、判別したノイズ発生原因からの赤外線ノイズを受信し難いような対策、例えば赤外線受信部の前記ノイズ発生原因側に遮蔽板を設ける等の対策を実行して、赤外線ノイズのデータ通信への影響を少なくすることが可能となる。また外部の通信装置とのデータ受信に使用されている通信制御部を使用して赤外線ノイズを測定することにより、専用のノイズ測定器を準備する必要がなく赤外線ノイズを測定できる。
【００１４】
請求項３に記載の発明は、請求項２に記載の赤外線通信装置付き自動販売機において、赤外線パルスのパルス幅を表示する表示部を備え、前記通信制御部は、赤外線パルスが外部ノイズと判断すると、そのパルス幅を前記表示部に表示することを特徴とする。
【００１５】
この構成により、赤外線受信部より入力した赤外線パルスが外部ノイズと判断されると、そのパルス幅が表示部に表示され、外部ノイズの発生とそのパルス幅が認識される。
また請求項４に記載の発明は、請求項３に記載の赤外線通信装置付き自動販売機において、前記表示部として、商品を購入するために自動販売機に投入された金額を表示する金額表示器を使用することを特徴とする。
【００１６】
この構成により、金額表示器のディジタル表示器を使用して赤外線ノイズを表示することにより、専用のノイズ表示器を準備する必要がなく赤外線ノイズを表示できる。
また請求項５に記載の発明は、請求項２〜請求項４のいずれか１項に記載の赤外線通信装置付き自動販売機において、前記通信制御部は、前記解読したデータに基づいて前記外部通信装置へ応答しても、それに対する応答がないとき、前記外部ノイズ検出機能を起動することを特徴とする。
【００１７】
この構成により、何らかの原因で、外部通信装置からの応答がないとき、赤外線ノイズが発生していると判断されて、外部ノイズ検出機能が起動され、赤外線ノイズの検出が開始される。よって、通信障害が発生すると、赤外線ノイズの検出が実行され、赤外線ノイズの発生原因を判別することが可能となる。
【発明の効果】
【００１８】
本発明の赤外線通信装置付き自動販売機は、上記構成を有し、受信した赤外線の信号が外部ノイズと判断されると、その発生日時が記憶部に記憶され、履歴として残されることにより、データ通信が正常に実行されないとき、前記履歴を確認することによって、データが正常に実行されない原因が、外部の赤外線ノイズにあるかどうかを判断することが可能となる。さらに原因が外部の赤外線ノイズにあると判断したときに、赤外線受光素子の周囲を囲うことで赤外線ノイズの通信への影響を少なくでき、データ通信を復旧することが可能となる。
【発明を実施するための最良の形態】
【００１９】
以下、本発明の実施の形態を、図面を参照しながら説明する。
図１は、本発明の実施の形態における自動販売機の構成図である。
図１において、１は自動販売機本体、２は自動販売機本体１との間で、赤外線を使用してデータ通信を行うハンディターミナル（外部通信装置の一例）である。
【００２０】
前記自動販売機本体１には、その前面に取り付けられた前面扉１０に、販売する複数の商品サンプル１１、各商品サンプル１１に対応して配置された商品選択ボタン１２、商品を購入するときに硬貨を投入する硬貨投入口１３、同じく紙幣を投入する紙幣投入口１４、金額表示器１５、返金を要求する際に操作する返却レバー１６、購入した商品を取り出す商品取出口１７、およびコイン返却口１８が設けられている。
【００２１】
また前記金額表示器１５には、赤外線を使ってハンディターミナル２との間で通信を行うための窓部２１と、投入された硬貨および紙幣の総金額等を表示するディジタル表示器（表示部の一例）２２と、販売中を表示する販売中表示ランプ２３と、紙幣が使用できないことを表示するお札中止表示ランプ２４と、おつり切れを表示する、１００円切れ表示ランプ２５ａおよび１０円切れ表示ランプ２５ｂが設けられている。前記窓部２１に、赤外発光ダイオード（赤外線発光素子）２７とフォトダイオード（赤外線受光素子の一例）２８が設けられている。
【００２２】
また自動販売機本体１の内部には、図２に示すように、フォトダイオード２８に接続され、フォトダイオード２８により受信された受信信号をパルス状に整形し、送信されてきた受信信号を赤外線パルス（パルス列）に変換して出力する受信装置（赤外線受信部の一例）３１と、赤外発光ダイオード２７を駆動する送信装置３２が設けられ、さらに、これら受信装置３１および送信装置３２に接続された通信制御部３３およびメモリ（記憶部の一例）３４を有し、販売動作を実行するマイクロコンピュータからなる販売制御装置３５が設けられている。この販売制御装置３５に、自動販売機としての機能を構成する、商品を購入する際の金銭処理装置、商品の冷却装置、商品の払出し装置（いずれも図示せず）などが接続され、販売制御装置３５は、これら装置の制御を実行する毎に前記メモリ３４へ、累計売上金額データ、商品別売上数データ、釣銭データ、売切れデータ、故障データなどのデータを記録または更新している。また販売制御装置３５に、金額表示器１５のディジタル表示器２２が接続されている。
【００２３】
なお、受信装置３１および販売制御装置３５の通信制御部３３に後述する外部ノイズ検出機能を持たせることにより、フォトダイオード２８により受信した赤外線の信号が、外部ノイズかどうかを判断し、受信した信号が外部ノイズと判断すると、その発生日時をメモリ３４に記憶する判断部が構成されている。また赤外発光ダイオード２７と送信装置３２により赤外線送信部の一例が構成される。
【００２４】
前記通信制御部３３は、赤外線パルス検出部を構成しており、受光装置３１より赤外線パルス列を入力すると、入力したパルス列より“０”と“１”の列からなるデータ信号を検出し、ハンディターミナル２より送信されてきたデータ内容を解読し、このデータ内容に基づいてハンディターミナル２へ送信するデータ（“０”と“１”の列からなるデータ信号）を形成し送信装置３２へ出力する。
【００２５】
またハンディターミナル２には、図１に示すように、操作キー４１と、ディジタル表示器４２と、赤外線を使って自動販売機本体１との間で通信を行うための窓部４３が設けられており、ハンディターミナル２の窓部４３を、自動販売機本体１の窓部２１に所定距離（例えば、３０ｃｍ）内に近づけ、所定の角度（例えば、正面中心よりプラス１５゜／マイナス１５゜以内）として、窓部２１に向けて操作キー３１を操作することにより、自動販売機本体１の販売制御装置３５との間で、赤外線を使用してデータ通信を行うことができるように構成されている。これにより、自動販売機本体１の前面扉１０を開けることなく自動販売機本体１蓄積されているデータを収集することが可能とされている。
【００２６】
なお、ハンディターミナル２と自動販売機本体１との間の赤外線を使用した通信は、外部からの不正や悪戯から防護する目的もあって、自動販売機専用の通信規格で行われる。
上記構成によるハンディターミナル２と自動販売機本体１との間におけるデータの送受信動作を、図３（ａ）のデータ送受信手順図に基づいて説明する。
【００２７】
まず、操作キー３１の操作により自動販売機本体１へのデータ要求がハンディターミナル２にセットされると、ハンディターミナル２より、予め設定されたパスワードに相当する赤外線パルス列からなる送信信号が自動販売機本体１へ送信される。
【００２８】
この送信信号は、自動販売機本体１のフォトダイオード２８により受信され、受信装置３１へ出力され、この受信装置３１においてパルス状に整形され、その赤外線パルス列が通信制御部３３へ出力される。そして、通信制御部３３において入力した赤外線パルス列より“０”と“１”の列からなるデータ信号が検出され、ハンディターミナル２より送信されてきたデータ内容が解読される。解読の結果、データはパスワードであり、通信制御部３３に予め設定されたパスワードと一致すると、通信制御部３３よりパスワードＯＫのデータに相当するデータ列が形成され送信装置３２へ出力される。送信装置３２によりこのデータ列に基づいて発光ダイオード２７が駆動され、ＯＫデータに相当する赤外線パルス列からなる送信信号がハンディターミナル２へ送信される。
【００２９】
ハンディターミナル２において、フォトダイオード４１により受信された送信信号が、予め設定されたパスワードＯＫデータと一致することが確認されると、自動販売機本体１へ要求するデータに相当する赤外線パルス列が自動販売機本体１へ送信される。
【００３０】
この送信信号は、自動販売機本体１のフォトダイオード２８により受信され、同様に解読され、解読の結果、データ内容はデータの要求であることが確認されると、最初に、データの要求を承認したデータ要求ＯＫデータに相当するデータ列が形成されてハンディターミナル２へ送信され、つづいて、データ要求に基づいて、メモリ３４に記憶されているデータが検索され、その検索データに相当するデータ列がハンディターミナル２へ送信される。
【００３１】
ハンディターミナル２において、受信信号が解読され、最初、データ要求ＯＫデータと判断されると待機状態となり、続いて、要求したデータと判断されると、そのデータが記憶されるとともにディジタル表示器４２へ表示され、続いて、データ送受信完了のデータに相当する赤外線パルス列が自動販売機本体１へ送信される。
【００３２】
この送信信号は、自動販売機本体１のフォトダイオード２８により受信され、同様に解読され、解読の結果、データ内容がデータ送受信完了のデータであることが確認されると、送受信が終了される。
【００３３】
このような動作により、自動販売機のサービスマンは、ハンディターミナル２を使用して、自動販売機本体１の前面扉１０を開けることなく自動販売機本体１に蓄積されているデータを収集することができる。
【００３４】
さて、自動販売機本体１のフォトダイオード２８は、常時受信状態にあるため、隣接する自動販売機の蛍光灯や自動ドアの赤外線センサや防犯用赤外線センサ等が発する赤外線ノイズを拾って、通信障害が発生する恐れがあり、通信障害によりデータの応答を確認できないことがある。例えば、図３（ｂ）に示すように、パスワードＯＫに応答してデータ要求の応答がなかったり、データ送信しても、データ送受信完了の応答がなかったりする。通信制御部３３は、このような通信障害の原因となる赤外線ノイズを検出する外部ノイズ検出機能を、上述した、受信装置３１より入力したパルス列より自動販売機専用の通信規格に基づいて“０”と“１”の列からなるデータ信号を検出しデータ内容を解読するデータ解読機能の他に有している。すなわち、通信制御部３３は、データ解読機能に加えて、受信装置３１より入力した赤外線パルスのパルス幅を測定し、この測定したパルス幅により、入力した赤外線パルスが外部ノイズかどうかを判断し、外部ノイズと判断すると、その発生日時と前記パルス幅をメモリ３４に記憶し、パルス幅を金額表示器１５のディジタル表示器２２に表示する外部ノイズ検出機能（自動販売機専用の通信規格を外れたパルス（外部の赤外線ノイズに相当する）を検出する機能でもある）を有している。
【００３５】
この通信制御部３３の外部ノイズ検出機能を、図４（ａ）に示すフローチャートにしたがって詳細に説明する。
通信制御部３３は、まず図４（ｂ）に示すように、パルスの変化Ａ（例えば、“０”から“１”への変化）を確認する（ステップ−１）。このパルスの変化Ａを確認すると、パルス幅の測定を実行する。すなわち時間のカウント（１ｍｓ単位）を実行する（ステップ−２）。そしてパルスの変化Ｂ（例えば、“１”から“０”への変化）を確認すると（ステップ−３）、測定したパルス幅ｘが、予め設定した所定パルス幅αｍｓ以上かどうか、すなわちノイズかどうかを判断し（ステップ−４）、ノイズと判断すると、金額表示器１５のディジタル表示器２２へその測定したパルス幅ｘを表示し（ステップ−５）、このノイズ発生日時と測定したパルス幅ｘをメモリ３４へ記録し（ステップ−６）、ステップ−１へ戻る。
【００３６】
なお、ノイズ発生日時が接近している場合（“時”が同一な場合など）は、メモリ３４へ記録しないようにすることもでき、早い時期に、メモリ３４へデータを記録できなくなってしまう事態を回避することができる。また金額表示器１５のディジタル表示器２２へパルス幅ｘを表示する表示時間を、一定時間に限ることも可能である。このパルス幅の表示は、金銭の投入が実行されると金銭の表示へ変更される。
【００３７】
このように、赤外線ノイズが検出され、金額表示器１５のディジタル表示器２２へパルス幅が表示されるとともに、メモリ３４へ記録され、履歴が、図５に示すように、残される。
【００３８】
さて、自動販売機のサービスマンが、ハンディターミナル２を使用して、データ通信により自動販売機本体１に蓄積されているデータを収集しようとしたとき、データ通信が正常に実行されないことがあると、自動販売機のサービスマンは、データ通信が正常に実行されない原因が、ハンディターミナル２自体にあるのか、自動販売機本体１自体にあるのか、外部の赤外線ノイズによるのかを判断できない。
【００３９】
以上のように本実施の形態によれば、赤外線ノイズが検出され、希にしか発生しない赤外線ノイズであっても履歴として残されることにより、ハンディターミナル２を使用して自動販売機本体１との間でデータ通信を実行してもデータ通信が正常に実行されないとき、履歴を確認することにより、赤外線通信の障害の原因が、ハンディターミナル２自体および自動販売機本体１自体ではなく、外部の赤外線ノイズにあるかどうかを判断できる。さらに外部の赤外線ノイズが原因と判断したとき、窓部２１の周囲を囲うような緊急処置の実行により赤外線ノイズの通信への影響を少なくすることが可能となり、その場でデータ通信を復旧することが可能となる。
【００４０】
また履歴として残された赤外線ノイズの発生日時とそのパルス幅を確認することにより、赤外線ノイズの発生原因（例えば、自動販売機の蛍光灯、あるいは自動ドアの赤外線センサ、あるいは防犯用赤外線センサ等が発する赤外線ノイズかどうか）を容易に判別することが可能となる。よって、判別したノイズ発生原因からの赤外線ノイズを受信し難いような対策、例えば金額表示器１５の窓部２１の前記ノイズ発生原因側に、遮蔽板を設ける等の恒久対策を実行して、赤外線ノイズのデータ通信への影響を少なくすることができ、安定したデータ通信を実現できる。またメンテナンス時間を短縮することができる。
【００４１】
また本実施の形態によれば、通常のデータ通信に使用されている、通信制御部３３を使用して（赤外線の受信機能を利用して）赤外線ノイズを測定することにより、専用のノイズ測定器を準備する必要がなく、従来の自動販売機が有している機能をそのまま利用しながら、赤外線ノイズを測定でき、また金額表示器１５のディジタル表示器２２を使用して赤外線ノイズを表示することにより、専用のノイズ表示器を準備する必要がなく赤外線ノイズを表示できる。さらに既存の通信制御部３３および金額表示器１５のディジタル表示器２２を使用することにより、既存の自動販売機に対して簡単に、前記外部ノイズ検出機能を付加することができる。
【００４２】
なお、本実施の形態では、通信制御部３３は、外部ノイズと判断すると、その発生日時とパルス幅を記憶部３４に記憶する機能とパルス幅を金額表示器１５のディジタル表示器２２に表示する機能の両方を備えているが、いずれか一方のみの機能を備えるようにすることも可能である。
【００４３】
また本実施の形態では、通信制御部３３は、常時、外部ノイズ検出機能を実行しているが、解読したデータに基づいてハンディターミナル２へ応答しても、それに対する応答がないとき、外部ノイズ検出機能を起動するようにすることもできる。これにより、通信障害が発生した時点での機能開始となり、マイクロコンピュータ（販売制御装置３５）の負担を軽減できる。
【００４４】
また本実施の形態では、自動販売機本体１とのデータ通信が可能な外部の通信装置を、ハンディターミナル２としているが、ハンディターミナル２に限ることはなく、自動販売機本体１とのデータ通信が可能なポータブルコンピュータであってもよい。
【００４５】
また本実施の形態では、販売制御装置３５に通信制御部３３を設けているが、通信制御部３３は独立したマイクロコンピュータにより構成してもよい。
【図面の簡単な説明】
【００４６】
【図１】本発明の実施の形態における赤外線通信装置付き自動販売機の概略構成図である。
【図２】同赤外線通信装置付き自動販売機の通信制御の構成図である。
【図３】同赤外線通信装置付き自動販売機のデータ送受信手順図である。
【図４】同赤外線通信装置付き自動販売機の通信制御部によるノイズ検出の手順を示すフローチャートである。
【図５】同赤外線通信装置付き自動販売機の通信制御部よりメモリに記録されたノイズの履歴を示す図である。
【符号の説明】
【００４７】
１    自動販売機本体
２    ハンディターミナル
１５  金額表示器
２２  ディジタル表示器
２７  赤外発光ダイオード
２８  フォトダイオード
３１  受信装置
３２  送信装置
３３  通信制御部
３４  メモリ
３５  販売制御装置
【図１】
2007080004.tif 000003
【図２】
2007080004.tif 000004
【図３】
2007080004.tif 000005
【図４】
2007080004.tif 000006
【図５】
2007080004.tif 000007